(57)【要約】【課題】衣類に無線ＩＣタグを添付する前記従来の構成では、人体の検知温度情報を得ることができないために、冷暖房機器には使えないという課題を有していた。【解決手段】着衣１８に添付された非接触情報記憶媒体１から、ＲＦリーダーライタ１６がこの衣類の情報と、現在の人体の検知温度を読み出して、マイクロコンピュータ１４が冷暖房運転を開始する。人体の検知温度は、ＲＦリーダーライタ１６からの送信要求を受信する毎に、非接触情報記憶媒体１により所定時間毎に逐次読み出される。【選択図】図２
2005241124.tif 000002
【特許請求の範囲】
【請求項１】
情報を記憶するメモリと、電源回路と、変復調回路を含む送受信回路と、クロックを含むロジック回路を内蔵しているＩＣチップと、アンテナコイルとを樹脂製の封止材料で封止し、前記送受信回路の復調回路は、受信した電磁波を検波し基底帯域信号及びデータを復元し、前記電源回路は前記アンテナコイルが受信した電磁波から電磁誘導によってその動作電力を得る構成とし、前記送受信回路の変調回路は、データを送信するために搬送波を送信データに応じて変調させてアンテナコイルに出力し電磁波を送信する非接触情報記憶媒体を備え、前記非接触情報記憶媒体は、温度検知手段を備え、かつ人が身にまとう着衣に取り付け可能に構成され着衣の温度を検知し前記送受信回路を介し温度情報と前記メモリに記憶された情報を送信する非接触情報記憶媒体。
【請求項２】
遠赤外線で暖房する機器の赤外線量を検出する構成を備えた請求項１に記載の非接触情報記憶媒体。
【請求項３】
伝導熱で暖房する機器の熱流束を検出する構成を備えた請求項１に記載の非接触情報記憶媒体。
【請求項４】
請求項１〜３のいずれか１項に記載した非接触情報記憶媒体にアクセスし着衣の情報及び検知温度を読み出す送受信手段と、冷暖房を制御する複数のプログラムを記憶した記憶手段と、前記非接触情報記憶媒体からの情報に基づいて前記記憶手段に記憶された冷暖房プログラムを選択し選択された冷暖房プログラムに従い冷暖房を行う冷暖房制御手段とを備え、冷暖房制御手段は前記非接触情報記憶媒体からの温度と着衣の情報をもとに冷暖房の制御の設定を変更する冷暖房機器。
【請求項５】
非接触情報記憶媒体は着衣のどの部分に装着されているかの情報を記憶し、着衣の表面に添付された複数個の非接触情報記憶媒体からの温度と着衣の情報をもとに冷暖房の制御の設定を変更する請求項４に記載の冷暖房機器。
【請求項６】
着衣に添付された非接触情報記憶媒体から読み取る情報により、人体の各部部位に合わせて冷暖房機器の制御を行い、頭寒足熱の冷暖房とした請求項４に記載の冷暖房機器。
【請求項７】
前記複数の着衣に添付された非接触情報記憶媒体から読み取る情報と、車外より入光する太陽光による輻射熱量を演算して、頭寒足熱の冷暖房とした請求項４に記載の冷暖房機器。
【請求項８】
非接触情報記憶媒体にアクセスし着衣の情報及び検知温度を読み出す送受信手段と冷暖房機器に制御信号を送信する送信手段を備えたリモコン手段を有し、前記リモコン手段は、複数の着衣に添付された非接触情報記憶媒体から読み取る情報により、人体の各部位の温度に合わせて遠隔で冷暖房制御を行う請求項４に記載の冷暖房機器。
【請求項９】
多人数の着衣に添付された複数の前記非接触情報記憶媒体から読み取る情報を統計的に解析し冷暖房の制御を行う請求項４〜８のいずれか１項に記載の冷暖房機器。
【発明の詳細な説明】
【技術分野】
【０００１】
本発明は、着衣に添付された非接触情報記憶媒体から衣類情報と、人体の検知温度を読み出し、当該情報により最適な冷暖房を可能とする冷暖房機器に関するものである。
【背景技術】
【０００２】
従来、この種の家電機器は、例えばエアコンの場合、冷暖房操作するための操作キーが操作パネルに表示されており、ユーザは所望の操作キーをタッチすることによって機器の制御を行うことができる。また、冷暖房モードの選択は操作パネルのモードキーの選択によるのが一般的である。この場合、設計段階あるいは工場出荷時以前にあらかじめエアコンの制御装置内のマイコンやメモリにモード毎のシーケンスあるいはプログラムやデータなどを保存させておくことになる。つまり、各家庭の環境の中におかれた人体に最適な冷暖房方法を選択しているわけではなく、そのキーに製造業者が特定し、プログラムした冷暖房機能・動作で室温を検知して実行させていた。
【０００３】
また、近年の情報機器の発達に伴い、多様な利用が可能な半導体の情報記憶媒体及びアクセス装置を使用して、衣類の洗濯に関する情報を記憶している無線ＩＣタグを衣類に添付し、家庭用電気洗濯機が電波を用いてこの無線ＩＣタグにアクセスし、前記洗濯情報を読み出し洗濯する方法が提案されている（例えば、特許文献１、特許文献２参照）。
【０００４】
図１１（ａ）は特許文献１に記載された衣類に添付された半導体の情報記憶媒体である無線ＩＣタグ６８２に衣類の情報を記憶している。そして、家庭用電気洗濯機５００にはリーダーライタを内蔵しており、また、様々な洗濯方法に応じた洗濯コースを記憶している。衣服６８１が洗濯槽内に入れられると、家庭用電気洗濯機５００が内蔵するリーダーライタは、無線ＩＣタグ６８２の非プロテクト部のサービスステージ領域に記録されている「洗濯方法」を読み出し、家庭用電気洗濯機５００は、読み出した洗濯方法に応じた洗濯コースを読み出し、読み出した洗濯コースにより、洗濯を開始する。
【特許文献１】特開２００１−３０７０５５号公報
【特許文献２】特開２００１−２９１０７９号公報
【発明の開示】
【発明が解決しようとする課題】
【０００５】
しかしながら、衣類に無線ＩＣタグを添付する前記従来の構成では、人体の検知温度情報を得ることができないために、冷暖房機器には使えないという課題を有していた。
【０００６】
本発明は、前記従来の課題を解決するもので、着衣に添付された非接触情報記憶媒体から衣類情報と、人体の検知温度を読み出し、当該情報により最適な冷暖房をすることが可能な冷暖房機器を提供することを目的とする。
【課題を解決するための手段】
【０００７】
前記従来の課題を解決するために、本発明の非接触情報記憶媒体は、情報を記憶するメモリと、電源回路と、変復調回路を含む送受信回路と、クロックを含むロジック回路を内蔵しているＩＣチップと、アンテナコイルとを樹脂製の封止材料で封止し、前記送受信回路の復調回路は、受信した電磁波を検波し基底帯域信号及びデータを復元し、前記電源回路は前記アンテナコイルが受信した電磁波から電磁誘導によってその動作電力を得る構成とし、前記送受信回路の変調回路は、データを送信するために搬送波を送信データに応じて変調させてアンテナコイルに出力し電磁波を送信する非接触情報記憶媒体を備え、前記非接触情報記憶媒体は、温度検知手段を備え、かつ人が身にまとう着衣に取り付け可能に構成され着衣の温度を検知し前記送受信回路を介し温度情報と前記メモリに記憶された情報を送信する構成としたものである。
【０００８】
そして、本発明の冷暖房機器は、上記着衣の人体に接触する部位に添付した非接触情報記憶媒体と、温度センサと、前記非接触情報記憶媒体にアクセスし前記着衣の情報、及び、人体の検知温度を読み出す送受信手段と、この読み出した情報に応じた冷暖房プログラムを記憶する手段と、この情報に基づいて前記非接触情報記憶媒体に記憶された冷暖房プログラムを選択する手段と、選択された冷暖房プログラムに従い冷暖房を行う冷暖房手段とを備え、前記非接触情報記憶媒体は温度センサを内蔵し、着衣の情報の記憶、及び、人体の温度の検出を行うようにしたものである。
【０００９】
これによって、着衣に添付された非接触情報記憶媒体から衣類情報を読み取ることで、室内に居る人の着衣の状況を知ることができ冷暖房機器の運転が単なる室内温度だけを対象として運転するのでなく、室内温度に加え、室内に居る人の着衣の状況も加味したより快適性の向上する運転が実現でき、加えて人体近傍の検知温度を読み出し、当該情報により室内に居る人の近々の温度状況も加味したより快適性の向上する運転が最適な冷暖房を行うことが可能となる。
【００１０】
また、本発明の冷暖房機器は、光を含む電磁波を用いて非接触に読み取りあるいは読み書き可能な、着衣の人体に接触する部位に添付した非接触情報記憶媒体と、温度センサと、前記非接触情報記憶媒体にアクセスし前記着衣の情報、及び、人体の検知温度を読み出す送受信手段と、この読み出した着衣の情報、及び、人体の温度に応じた冷暖房プログラムを記憶する手段と、この情報に基づいて前記非接触情報記憶媒体に記憶された冷暖房プログラムを選択する手段と、選択された冷暖房プログラムを冷暖房機器に送信するリモコン手段を備え、複数の着衣に添付された非接触情報記憶媒体から読み取る情報により、人体の各部位の温度に合わせて瞬時に冷暖房機器の組み合わせ遠隔制御を行い、部分最適の冷暖房制御を行うものである。
【００１１】
これによって、異なる種類に冷暖房機器の運転状態を、着衣情報に合わせて瞬時にリモコンで遠隔操作して、部分最適で冷暖房制御を行うことが可能となる。
【００１２】
また、本発明の冷暖房機器は、光を含む電磁波を用いて非接触に読み取りあるいは読み書き可能な、着衣の人体に接触する部位に添付した非接触情報記憶媒体と、温度センサと、前記非接触情報記憶媒体にアクセスし多人数の前記着衣の情報、及び、多人数の人体の検知温度を読み出す送受信手段と、この読み出した情報を統計処理する演算手段と、着衣の情報、及び、人体の温度に応じた冷暖房プログラムを記憶する手段と、前記演算手段の統計処理した情報に基づいて前記非接触情報記憶媒体に記憶された冷暖房プログラムを選択する手段と、選択された冷暖房プログラムに従い冷暖房を行う冷暖房手段とを備え、多人数着衣に添付された複数の前記非接触情報記憶媒体から読み取る情報を統計的に解析し、全体最適の制御を行うものである。
【００１３】
これによって、多人数分の着衣情報及び人体検知温度を統計的に解析し、群制御理論等に基づき、全体最適で冷暖房制御が行えるものとなる。
【発明の効果】
【００１４】
本発明の冷暖房機器は、着衣に添付された非接触情報記憶媒体から衣類情報と、人体の検知温度を読み出し、当該情報により最適な冷暖房を行うことができる冷暖房機器を提供することができる。
【発明を実施するための最良の形態】
【００１５】
第１の発明は情報を記憶するメモリと、電源回路と、変復調回路を含む送受信回路と、クロックを含むロジック回路を内蔵しているＩＣチップと、アンテナコイルとを樹脂製の封止材料で封止し、前記送受信回路の復調回路は、受信した電磁波を検波し基底帯域信号及びデータを復元し、前記電源回路は前記アンテナコイルが受信した電磁波から電磁誘導によってその動作電力を得る構成とし、前記送受信回路の変調回路は、データを送信するために搬送波を送信データに応じて変調させてアンテナコイルに出力し電磁波を送信する非接触情報記憶媒体を備え、前記非接触情報記憶媒体は、温度検知手段を備え、かつ人が身にまとう着衣に取り付け可能に構成され着衣の温度を検知し前記送受信回路を介し温度情報と前記メモリに記憶された情報を送信する構成とし、着衣の情報、及び、人体温度の検出を行いこれらを送信することで、周囲の機器が、着衣の情報や着衣をまとう人の近々の温度情報を得ることができ、これら情報に応じて適切な機器制御を醸しだすことができるようにするものである。
【００１６】
第２の発明は前記非接触情報記憶媒体を複数個、着衣の表面に添付し、温風で暖房する機器の温風量を検出することにより、人体に直接当たっている温風量を検出して運転することとなり、常に最適な冷暖房運転を行うことができる。
【００１７】
第３の発明は前記非接触情報記憶媒体を複数個、着衣の表面に添付し、遠赤外線で暖房する機器の赤外線量を検出することにより、人体に直接当たっている赤外線量を検出して運転することとなり、常に最適な冷暖房運転を行うことができる。
【００１８】
第４の発明は上記非接触情報記憶媒体にアクセスし着衣の情報及び検知温度を読み出す送受信手段と、冷暖房を制御する複数のプログラムを記憶した記憶手段と、前記非接触情報記憶媒体からの情報に基づいて前記記憶手段に記憶された冷暖房プログラムを選択し選択された冷暖房プログラムに従い冷暖房を行う冷暖房制御手段とを備え、冷暖房制御手段は前記非接触情報記憶媒体からの温度と着衣の情報をもとに冷暖房の制御の設定を変更する冷暖房機器とすることで、前記非接触情報記憶媒体は温度センサを内蔵し、着衣の情報、及び、人体温度の検出を行うようにすることにより、常に最適な冷暖房運転を行うことができる。
【００１９】
第５の発明は前記非接触情報記憶媒体を複数個、着衣の表面に添付し、伝導熱で暖房する機器の熱流量を検出することにより、人体に直接伝導されている熱流量を検出して運転することとなり、常に最適な冷暖房運転を行うことができる。
【００２０】
第６の発明は前記複数の着衣に添付された非接触情報記憶媒体から読み取る情報により、人体の各部部位に合わせて冷暖房機器の制御を行うことにより、頭寒足熱の冷暖房運転となり、常に人体に最適な冷暖房運転を行うことができる。
【００２１】
第７の発明は前記複数の着衣に添付された非接触情報記憶媒体から読み取る情報と、車外より入光する太陽光による輻射熱量を演算して冷暖房運転を行うことにより、頭寒足熱の冷暖房となり、常に人体に最適で、且つ、エネルギー効率の良い冷暖房運転を行うことができる。
【００２２】
第８の発明は光を含む電磁波を用いて非接触に読み取りあるいは読み書き可能な上記非接触情報記憶媒体にアクセスし着衣の情報及び検知温度を読み出す送受信手段と冷暖房機器に制御信号を送信する送信手段を備えたリモコン手段を有し、前記リモコン手段は、複数の着衣に添付された非接触情報記憶媒体から読み取る情報により、人体の各部位の温度に合わせて遠隔で冷暖房制御を行う備え、複数の着衣に添付された非接触情報記憶媒体から読み取る情報により、人体の各部位の温度に合わせて瞬時に冷暖房機器の組み合わせ遠隔制御を行い、より最適な冷暖房制御を行うことができる。
【００２３】
第９の発明は多人数の着衣に添付された複数の前記非接触情報記憶媒体から読み取る情報を統計的に解析し冷暖房の制御を行う手段とを備え、多人数の着衣に添付された複数の前記非接触情報記憶媒体から読み取る情報を統計的に解析、例えば平均値や重み付けした平均値などの演算を行い、全体最適の冷暖房制御を行うことができる。
【００２４】
以下、本発明の実施の形態について、図面を参照しながら説明する。なお、この実施の形態によって本発明が限定されるものではない。
【００２５】
（実施の形態１）
図１は、本発明の第１の実施の形態における非接触情報記憶媒体のブロック図（ａ）及び要部（Ａ−Ａ’）断面図（ｂ）、図２は、冷暖房機器（エアコン）のブロック図、図３は非接触情報記憶媒体のメモリ構成図を示すものである。
【００２６】
図１において、非接触情報記憶媒体１は、メモリ２と、電源回路３と、変復調回路を含む送受信回路４、クロックを含むロジック回路５、温度センサ６を内蔵しているＩＣチップ７と、アンテナコイル８とを樹脂材料９で封止している。送受信回路４の復調回路は、例えば、受信した９１５ＭＨｚや、２．４５ＧＨｚの電磁波を検波し、基底帯域信号及びデータを復元する。また、バッテリーは内蔵しておらず、電源回路３はアンテナコイル８が受信した電磁波から電磁誘導によってその動作電力を得る。他方、送受信回路４の変調回路は、データを送信するために搬送波を送信データに応じて変調させてアンテナコイル８に出力し、電磁波を送信する。変調方式は、例えば、キャリア（搬送）周波数の振幅を変えるＡＳＫ、位相を変えるＰＳＫなどを使用することができる。変・復調回路はロジック回路５によって制御されて、クロックに同期して動作する。メモリ２はＩＣチップ７の制御プログラムと、衣類に関するデータとを保存するＲＯＭ、ＲＡＭ、ＥＥＰＲＯＭ及び／又はＦＲＡＭ等から構成される。また、本実施の形態における非接触情報記憶媒体１が一般的な非接触情報記憶媒体と異なる点は、ＩＣチップ７上にダイオードからなる温度センサ６を内蔵したことで、非接触情報記憶媒体１が添付された衣類、あるいは、人体の温度を検出することができる点である。温度センサ６はダイオードのＰＮ接合電圧の温度による変化を利用したもので、温度係数は約−２ｐｐｍ／℃である。
【００２７】
図２において、着衣１８の人体に接触する部位に添付された非接触情報記憶媒体１は、衣類の情報を生産時に記憶させるとともに、現在の人体の検知温度を逐次追記している。一方、エアコン１０はエアコン本来の機能である冷暖房を行う冷暖房手段１１と、風向制御を含めた送風手段１２と、室温を検知する室温センサ１３と、制御手段であるマイクロコンピュータ１４と、操作表示手段１５と、ＲＦリーダーライタ１６を有している。マイクロコンピュータ１４には衣類の情報に応じた冷暖房プログラムを記憶する手段として半導体メモリ、もしくはＳＤカード等の記憶手段１７を備えている。
【００２８】
以上のように構成されたエアコン１０について、以下その動作、作用を説明する。
【００２９】
まず、使用者が操作表示手段１５上のスイッチを押し、エアコン１０をオート冷暖房モードで動作させると、着衣１８に添付された非接触情報記憶媒体１から、ＲＦリーダーライタ１６がこの衣類の情報と、現在の人体の検知温度を読み出して、マイクロコンピュータ１４が冷暖房運転を開始する。人体の検知温度は、ＲＦリーダーライタ１６からの送信要求を受信する毎に、非接触情報記憶媒体１により所定時間毎に逐次読み出され、冷暖房のあらかじめ定められた設定温度とこの検知した人体の温度の差が所定の値となるように、冷暖房手段１１のＰＷＭ、あるいは、ＰＡＭ制御を細かく行う。また、マイクロコンピュータ１４は衣類の情報（素材、厚さ、形状、寸法、人体を覆う度合い等）から、冷暖房の設定温度と、受信した人体の検知温度の差がいくらになれば、心地よいかを記憶手段１７のデータベースから読み出しながら上記の制御を行う。
【００３０】
以上のように、本実施の形態においては、非接触情報記憶媒体１から、この衣類の情報と、現在の人体の検知温度を読み出して冷暖房を行うことにより、冷暖房目標温度や、風量等をマニュアルで設定することなく、自動的に冷暖房を行うことができる。さらに、エアコン１０の室温センサ１３で検知した室温ではなく、着衣の人体に接触する部位に添付された非接触情報記憶媒体１の温度センサの情報を使うので、精度の良い温度調整ができるとともに、効率の良い省エネ運転が可能となる。
【００３１】
また、本実施の形態では非接触情報記憶媒体１は図３（ａ）に示すように、衣類を識別するシリアルＮｏ．０：「品名」とシリアルＮｏ．１：「品番」と、データとして「生産者」と、「販売者名」、「素材、厚さ、形状、寸法、人体を覆う度合い等」を記憶しており、シリアル用には３２ビットを割り当ててあるので、全ての衣類に対応することができる。
【００３２】
また、本実施の形態では着衣が複数枚有る場合、及び、室内に多人数が居る場合には非接触情報記憶媒体１が複数個存在するが、排他制御を行わない通常の通信プロトコルでは一番電波が強いか、あるいは一番近い一つか二つのものが読み出される。そして、その中で一番温度の高い値を用いて制御を行う。また、ＣＳ／ＣＤＭＡ等のプロトコルでは、それぞれの非接触情報記憶媒体１には、送信をリクエストされてから、固有の遅延時間をおいてデータを送信するように設計されているので、室内に非接触情報記憶媒体１が複数種類存在する場合で、同時に同じコマンド（送信のリクエスト）を受け取り、一斉に個々のＩＤ及びデータをＲＦリーダーライタ１６に送り返すことはないために、個々の非接触情報記憶媒体１を識別することが可能となる。
【００３３】
また、本実施の形態では非接触情報記憶媒体１は衣類に添付されているが、室内に着ていない衣類がおかれている場合も考えられるが、その場合は送信されてくる温度が室温近辺の値で、且つ、エアコン１０を運転しても室温の上昇カーブと同じか、それ以下の値しか示さないので、容易に識別でき、その影響を無くすように冷暖房動作させることが可能である。
【００３４】
また、本実施の形態の非接触情報記憶媒体１のアンテナコイル８は、ＲＦリーダーライタ１６内の検出コイルＡＮＴと非接触に電磁結合されている。アンテナコイル８と検出コイルＡＮＴは互いに近接、あるいは、数ｍの距離を隔てて配置することができる。アンテナコイル８は、検出コイルＡＮＴとの配置、実装面積、その他の条件に応じて所定の寸法、形状、自己インダクタンス、相互インダクタンスを有すれば良く、形状は四角形に限定されず、円形、楕円形などとしてもよい。また、電源回路３はアンテナコイル８が受信した電磁波から電磁誘導によってその動作電力を得る構成としたが、バッテリーを実装するセミパッシブ型や、アクティブ型の構成でも良い。
【００３５】
また、本実施の形態ではＲＦリーダーライタ１６内の検出コイルＡＮＴは１つであるが、複数の検出コイルを角度を変えて設け、三角測量をおこなうことにより、着衣に添付された非接触情報記憶媒体１までの位置（距離、角度）が判るため、送風手段１２の風向制御を行うこともできる。
【００３６】
（実施の形態２）
図４は、本発明の第２の実施の形態における冷暖房機器（電気温風器）のブロック図を示すものである。
【００３７】
図４において、着衣１９の表面に添付された非接触情報記憶媒体２０は、衣類の情報を生産時に記憶させるとともに、電気温風器２１の温風温度を逐次検知して追記している。一方、電気温風器２１は温風器本来の機能である暖房を行う暖房手段２２と、室温を検知する室温センサ２３と、制御手段であるマイクロコンピュータ２４と、操作表示手段２５と、ＲＦリーダーライタ２６を有している。マイクロコンピュータ２４には衣類の情報に応じた暖房プログラムを記憶する手段として半導体メモリ、もしくはＳＤカード等の記憶手段２７を備えている。
【００３８】
以上のように構成された電気温風器２１について、以下その動作、作用を説明する。
【００３９】
まず、使用者が操作表示手段２５上のスイッチを押し、電気温風器２１をオート暖房モードで動作させると、着衣１９の表面に添付された非接触情報記憶媒体２０から、ＲＦリーダーライタ２６がこの衣類の情報と、着衣１９に当たっている現在の温風の温度を読み出して、マイクロコンピュータ２４が暖房運転を開始する。温風の検知温度は、ＲＦリーダーライタ２６からの送信要求を受信する毎に、非接触情報記憶媒体２０により所定時間毎に逐次読み出され、暖房のあらかじめ定められた設定温度とこの検知した温風の温度が等しくなるように、暖房手段２２の制御を細かく行う。また、マイクロコンピュータ２４は衣類の情報（素材、厚さ、形状、寸法、人体を覆う度合い等）から、暖房の設定温度と、受信した温風の検知温度の差がいくら以内になれば、心地よいかを記憶手段２７のデータベースから読み出しながら上記の制御を行う。
【００４０】
以上のように、本実施の形態においては、非接触情報記憶媒体２０から、この衣類の情報と、現在の温風の検知温度を読み出して暖房を行うことにより、暖房目標温度や、風量等をマニュアルで設定することなく、自動的に暖房を行うことができる。さらに、電気温風器２１の室温センサ２３で検知した室温ではなく、着衣１９の表面に添付された非接触情報記憶媒体２０の温度センサの情報を使うので、精度の良い温度調整ができるとともに、効率の良い運転が可能となる。
【００４１】
また、本実施の形態では非接触情報記憶媒体２０が、室内の人が一時的に退出して検出できなかった場合は、室温センサ２３で冷暖房動作させることで、温度の過昇を防止する。
【００４２】
また、本実施の形態ではＲＦリーダーライタ２６内の検出コイルＡＮＴを複数とし、角度を変えて設けることにより、非接触情報記憶媒体２０の検出感度に指向性を持たせることができ、電気温風器２１の正面にある着衣だけを検出することもできる。
【００４３】
（実施の形態３）
図５は、本発明の第３の実施の形態における冷暖房機器（電気ストーブ）のブロック図を示すものである。
【００４４】
図５において、着衣２８の表面に添付された非接触情報記憶媒体２９は、衣類の情報を生産時に記憶させるとともに、電気ストーブ３０の発する遠赤外線量を逐次検知して追記している。非接触情報記憶媒体２９は、メモリ２と、電源回路３と、変復調回路を含む送受信回路４、クロックを含むロジック回路５、赤外線センサ３１を内蔵しているＩＣチップ７と、アンテナコイル８とを赤外線を透過する樹脂材料３２で封止している。赤外線センサ３１はＩＣチップ７上に内蔵したＰＩＮフォトダイオードからなる赤外線センサ３３で、非接触情報記憶媒体２９が添付された衣類２８の表面に入射する遠赤外線量を検出することができる。一方、遠赤外線で暖房する電気ストーブ３０は電気ストーブ本来の機能である暖房を行う遠赤外線暖房手段３４と、室温を検知する室温センサ３５と、制御手段であるマイクロコンピュータ３６と、操作表示手段３７と、ＲＦリーダーライタ３８を有している。マイクロコンピュータ３６には衣類の情報に応じた暖房プログラムを記憶する手段として半導体メモリ、もしくはＳＤカード等の記憶手段３９を備えている。
【００４５】
以上のように構成された電気ストーブ３０について、以下その動作、作用を説明する。
【００４６】
まず、使用者が操作表示手段３７上のスイッチを押し、電気ストーブ３０をオート暖房モードで動作させると、着衣２８の表面に添付された非接触情報記憶媒体２９から、ＲＦリーダーライタ３８がこの衣類の情報と、着衣２８に当たっている現在の遠赤外線量を読み出して、マイクロコンピュータ３６が暖房運転を開始する。遠赤外線量はＲＦリーダーライタ３８からの送信要求を受信する毎に、非接触情報記憶媒体２９により所定時間毎に逐次読み出され、暖房のあらかじめ定められた設定温度と、室温センサ３５の検知温度と、この受信した遠赤外線量の相関関係式に基づき、遠赤外線暖房手段３４の制御を細かく行う。また、マイクロコンピュータ３６は衣類の情報（素材、厚さ、形状、寸法、人体を覆う度合い等）から、暖房の設定温度と、受信した遠赤外線量と、心地良さの相関式を記憶手段２７のデータベースから読み出しながら上記の制御を行う。
【００４７】
以上のように、本実施の形態においては、非接触情報記憶媒体２９から、この衣類の情報と、電気ストーブ３０が発生し、着衣２８に到達する現在の赤外線量を読み出して暖房を行うことにより、暖房目標温度や、風量等をマニュアルで設定することなく、自動的に暖房を行うことができる。さらに、電気ストーブ３０の室温センサ３５で検知した室温のみではなく、着衣２８の表面に添付された非接触情報記憶媒体２９の赤外線センサの情報を使うので、精度の良い温度調整ができるとともに、効率の良い運転が可能となる。
【００４８】
また、本実施の形態ではＲＦリーダーライタ３８内の検出コイルＡＮＴを複数、角度を変えて設けることにより、非接触情報記憶媒体２９の検出感度に指向性を持たせて、電気ストーブ３０の正面にある着衣だけを検出することができるために、安全性を向上できる。
【００４９】
（実施の形態４）
図６は、本発明の第４の実施の形態における冷暖房機器（電気カーペット）のブロック図を示すものである。
【００５０】
図６において、着衣４０の表面に添付された非接触情報記憶媒体４１は、衣類の情報を生産時に記憶させるとともに、電気カーペット４２から伝達される熱流束を逐次検知して追記している。非接触情報記憶媒体４１は、メモリ２と、電源回路３と、変復調回路を含む送受信回路４、クロックを含むロジック回路５、熱流束センサ４３を内蔵しているＩＣチップ７と、アンテナコイル８とを樹脂材料４４で封止している。熱流束センサ４３はＩＣチップ７上に内蔵したダイオードからなる２対の温度センサ４５で構成され、その温度変化の差から非接触情報記憶媒体４１が添付された着衣４０を通過する熱流束を検出することができる。一方、伝導熱で暖房する電気カーペット４２はシート状ヒータ４６と、室温を検知する室温センサ４７と、制御手段であるマイクロコンピュータ４８と、操作表示手段４９と、ＲＦリーダーライタ５０を有している。マイクロコンピュータ４８には衣類の情報に応じた暖房プログラムを記憶する手段として半導体メモリ、もしくはＳＤカード等の記憶手段５１を備えている。
【００５１】
以上のように構成された電気カーペット４２について、以下その動作、作用を説明する。
【００５２】
まず、使用者が操作表示手段４８上のスイッチを押し、電気カーペット４２をオート暖房モードで動作させると、着衣４０の表面に添付された非接触情報記憶媒体４１から、ＲＦリーダーライタ５０がこの衣類の情報と、着衣４０を通過する現在の熱流束を読み出して、マイクロコンピュータ４８が暖房運転を開始する。熱流束はＲＦリーダーライタ５０からの送信要求を受信する毎に、非接触情報記憶媒体４１により所定時間毎に逐次読み出され、暖房のあらかじめ定められた設定温度とこの検知した熱流束による予測温度の関係式に基づき、シート状ヒータ４６のオンオフ制御を細かく行う。また、マイクロコンピュータ４８は衣類の情報（素材、厚さ、形状、寸法、人体を覆う度合い等）から、暖房の設定温度と、受信した熱流束量と、心地良さの相関式を記憶手段５１のデータベースから読み出しながら上記の制御を行う。
【００５３】
以上のように、本実施の形態においては、非接触情報記憶媒体４１から、この衣類の情報と、電気カーペット４２が発生し、着衣４０に到達する現在の熱流束量を読み出して暖房を行うことにより、暖房目標温度を室温に応じてこまめに変更することなく、自動的に最適な暖房を行うことができる。さらに、電気カーペット４２の室温センサ４７で検知した室温や、電気カーペット４２表面の温度ではなく、着衣４０の表面に添付された非接触情報記憶媒体４１の熱流束センサ４３の情報を使うので、精度が良く、温度検知の早い温度調整ができるとともに、効率の良い運転が可能となる。
【００５４】
また、本実施の形態では非接触情報記憶媒体４１が、電気カーペット４２上の人が一時的に退出して検出できなかった場合は、室温センサ４７で検知した温度と、暖房目標温度との差で暖房運転させることで、温度の過昇を防止する。
【００５５】
また、本実施の形態ではＲＦリーダーライタ５０内の検出コイルＡＮＴと、非接触情報記憶媒体４１内のアンテナコイル８の電磁結合距離を数１０ｃｍ設定することにより、電気カーペット４２上の着衣４０の非接触情報記憶媒体４１を検知するようにして、安全性を向上できる。
【００５６】
（実施の形態５）
図７は、本発明の第５の実施の形態における冷暖房機器であるエアコン、及び、電気カーペットのブロック図を示すものである。
【００５７】
図７において、着衣１８の人体に接触する部位に添付された非接触情報記憶媒体１は、衣類の情報を生産時に記憶させるとともに、現在の人体の検知温度を逐次追記している。エアコン１０はエアコン本来の機能である冷暖房を行う冷暖房手段１１と、風向制御を含めた送風手段１２と、室温を検知する室温センサ１３と、制御手段であるマイクロコンピュータ１４と、操作表示手段１５と、ＲＦリーダーライタ１６を有している。マイクロコンピュータ１４には衣類の情報に応じた冷暖房プログラムを記憶する手段として半導体メモリ、もしくはＳＤカード等の記憶手段１７を備えている。他方、着衣４０の表面に添付された非接触情報記憶媒体４１は、衣類の情報を生産時に記憶させるとともに、電気カーペット４２から伝達される熱流束を逐次検知して追記している。そいて、伝導熱で暖房する電気カーペット４２はシート状ヒータ４６と、室温を検知する室温センサ４７と、制御手段であるマイクロコンピュータ４８と、操作表示手段４９と、ＲＦリーダーライタ５０を有している。マイクロコンピュータ４８には衣類の情報に応じた暖房プログラムを記憶する手段として半導体メモリ、もしくはＳＤカード等の記憶手段５１を備えている。
【００５８】
以上のように構成されたエアコン１０及び電気カーペット４２について、以下その動作、作用を説明する。
【００５９】
まず、使用者が操作表示手段１５上のスイッチ、及び、操作表示手段４８上のスイッチを押し、エアコン１０、及び、電気カーペット４２をオート暖房モードで動作させると、着衣１８に添付された非接触情報記憶媒体１から、ＲＦリーダーライタ１６がこの衣類の情報と、現在の人体の検知温度を読み出して、マイクロコンピュータ１４がエアコン１０の暖房運転を開始するとともに、着衣４０の表面に添付された非接触情報記憶媒体４１から、ＲＦリーダーライタ５０がこの衣類の情報と、着衣４０を通過する現在の熱流束を読み出して、マイクロコンピュータ４８が電気カーペット４２の暖房運転を開始する。人体の検知温度は、ＲＦリーダーライタ１６からの送信要求を受信する毎に、非接触情報記憶媒体１により所定時間毎に逐次読み出され、熱流束はＲＦリーダーライタ５０からの送信要求を受信する毎に、非接触情報記憶媒体４１により所定時間毎に逐次読み出される。冷暖房のあらかじめ定められた設定温度とこの検知した人体の温度の差が所定の値となるように、冷暖房手段１１のＰＷＭ、あるいは、ＰＡＭ制御を細かく行う。また、マイクロコンピュータ１４は衣類の情報（素材、厚さ、形状、寸法、人体を覆う度合い等）から、冷暖房の設定温度と、受信した人体の検知温度の差がいくらになれば、心地よいかを記憶手段１７のデータベースから読み出しながら上記の制御を行う。一方、暖房のあらかじめ定められた設定温度とこの検知した熱流束による予測温度の関係式に基づき、シート状ヒータ４６のオンオフ制御を細かく行う。また、マイクロコンピュータ４８は衣類の情報（素材、厚さ、形状、寸法、人体を覆う度合い等）から、暖房の設定温度と、受信した熱流束量と、心地良さの相関式を記憶手段５１のデータベースから読み出しながら上記の制御を行う。
【００６０】
以上のように、本実施の形態においては、非接触情報記憶媒体１から、この衣類の情報と、現在の人体の検知温度を読み出してエアコン１０により暖房を行うとともに、着衣４０に到達する現在の熱流束量を読み出して電気カーペット４３２の暖房を行うことにより、人体の各部部位に合わせて冷暖房機器の制御を行い、頭寒足熱の心地よい暖房を、効率良く行うが可能となる。
【００６１】
（実施の形態６）
図８は、本発明の第６の実施の形態における暖房機器（カーシートヒータ）のブロック図を示すものである。
【００６２】
図８において、着衣５２の表面に添付された非接触情報記憶媒体５３は、衣類の情報を生産時に記憶させるとともに、カーシートヒータ５４から伝達される熱流束を逐次検知して追記している。非接触情報記憶媒体５３は、メモリ２と、電源回路３と、変復調回路を含む送受信回路４、クロックを含むロジック回路５、熱流束センサ４３を内蔵しているＩＣチップ７と、アンテナコイル８とを樹脂材料４４で封止している。熱流束センサ４３はＩＣチップ７上に内蔵したダイオードからなる２対の温度センサ４５で構成され、その温度変化の差から非接触情報記憶媒体５３が添付された着衣５２を通過する熱流束を検出することができる。一方、伝導熱で暖房するカーシートヒータ５４はシート状ヒータ５５と、車内温度を検知する車内温度センサ５６と、車外より入光する太陽光による輻射熱量を検知する太陽電池５７、制御手段であるマイクロコンピュータ５８と、操作表示手段５９と、ＲＦリーダーライタ６０を有している。マイクロコンピュータ５８には衣類の情報に応じた暖房プログラムを記憶する手段として半導体メモリ、もしくはＳＤカード等の記憶手段６１を備えている。
【００６３】
以上のように構成されたカーシートヒータ５４について、以下その動作、作用を説明する。
【００６４】
まず、使用者が操作表示手段５９上のスイッチを押し、カーシートヒータ５４をオート暖房モードで動作させると、着衣５２の表面に添付された非接触情報記憶媒体５３から、ＲＦリーダーライタ６０がこの衣類の情報と、着衣５２を通過する現在の熱流束を読み出して、マイクロコンピュータ５８が暖房運転を開始する。熱流束はＲＦリーダーライタ６０からの送信要求を受信する毎に、非接触情報記憶媒体５３により所定時間毎に逐次読み出され、暖房のあらかじめ定められた設定温度とこの検知した熱流束による予測温度と、車外より入光する太陽光による輻射熱量を演算して、シート状ヒータ５５のオンオフ制御を細かく行う。また、マイクロコンピュータ５８は衣類の情報（素材、厚さ、形状、寸法、人体を覆う度合い等）から、暖房の設定温度と、受信した熱流束量と、車外より入光する太陽光による輻射熱量との、心地良さの相関式を記憶手段６１のデータベースから読み出しながら上記の制御を行う。
【００６５】
以上のように、本実施の形態においては、非接触情報記憶媒体５３から、この衣類の情報と、カーシートヒータ５４が発生し、着衣５２に到達する現在の熱流束量を読み出し、車外より入光する太陽光による輻射熱量を演算して暖房を行うことにより、暖房目標温度を車内温度に応じてこまめに変更することなく、自動的に最適な暖房を行うことができる。さらに、カーシートヒータ５４の車内温度センサ４７で検知した車内温度や、カーシートヒータ５４表面の温度ではなく、着衣５２の表面に添付された非接触情報記憶媒体５３の熱流束センサ４３の情報と、車外より入光する太陽光による輻射熱量を使うので、精度が良く、温度検知の早い温度調整ができるとともに、頭寒足熱の効率の良い暖房が可能となる。
【００６６】
また、本実施の形態では非接触情報記憶媒体５３が、カーシートヒータ５４上の人が一時的に車外に退出して検出できなかった場合は、車内温度センサ４７で検知した温度と、暖房目標温度との差で暖房運転させることで、温度の過昇を防止する。
【００６７】
また、本実施の形態ではＲＦリーダーライタ６０内の検出コイルＡＮＴと、非接触情報記憶媒体５３内のアンテナコイル８の電磁結合距離を数１０ｃｍ設定することにより、カーシートヒータ５４上の着衣５２の非接触情報記憶媒体５３を確実に検知するようにできる。
【００６８】
（実施の形態７）
図９は、本発明の第７の実施の形態における冷暖房機器である電気カーペットのブロック図を示すものである。
【００６９】
図９において、着衣６２の表面に添付された非接触情報記憶媒体６３は、衣類の情報を生産時に記憶させるとともに、電気カーペット６６から伝達される熱流束を逐次検知して追記している。また、着衣６４の人体に接触する部位に添付された非接触情報記憶媒体６５は、衣類の情報を生産時に記憶させるとともに、現在の人体の検知温度を逐次追記している。一方、伝導熱で暖房する電気カーペット６６はシート状ヒータ６７と、室温を検知する室温センサ６８と、制御手段であるマイクロコンピュータ６９と、操作表示手段７０と、ＲＦリーダーライタ７１と、リモコン送信手段７２を有している。マイクロコンピュータ６９には衣類の情報に応じた暖房プログラムを記憶する手段として半導体メモリ、もしくはＳＤカード等の記憶手段７３を備えている。そして、エアコン７４は冷暖房を行う冷暖房手段７５と、風向制御を含めた送風手段７６と、室温を検知する室温センサ７７と、制御手段であるマイクロコンピュータ７８と、操作表示手段７９と、リモコン受信手段８０を有している。
【００７０】
以上のように構成された電気カーペット６６について、以下その動作、作用を説明する。
【００７１】
まず、使用者が操作表示手段７０上のスイッチを押し、電気カーペット６６をオート暖房モードで動作させると、着衣６２の表面に添付された非接触情報記憶媒体６３から、ＲＦリーダーライタ７１がこの衣類の情報と、着衣６２を通過する現在の熱流束を読み出して、マイクロコンピュータ６９が電気カーペット６６の暖房運転を制御する。また、着衣６４に添付された非接触情報記憶媒体６５から、ＲＦリーダーライタ７１がこの衣類の情報と、現在の人体の検知温度を読み出して、マイクロコンピュータ６９がリモコン送信手段７２でエアコン７４の暖房運転を制御する。熱流束、及び、人体の検知温度はＲＦリーダーライタ７１からの所定時間毎の送信要求を受信する時に逐次読み出される。複数種類の衣類の情報（素材、厚さ、形状、寸法、人体を覆う度合い等）と、冷暖房の設定温度と、受信した人体の検知温度、及び、の差がいくらになれば、検知した熱流束による予測温度と、心地良さのの相関式を記憶手段７９のデータベースから読み出しながらオンオフを細かく行う。
【００７２】
以上のように、本実施の形態においては、着衣６２の表面に添付された非接触情報記憶媒体６３、及び、着衣６４の人体に接触する部位に添付された非接触情報記憶媒体６５、この衣類の情報と、現在の熱流束、及び、人体の検知温度を読み出して、電気カーペット６６とエアコン７４の協調運転により暖房を行うとにより、人体の各部部位に合わせて冷暖房機器の制御を行い、頭寒足熱の心地よい暖房を、効率良く行うが可能となる。
【００７３】
冷暖房手段１１のＰＷＭ、あるいは、ＰＡＭ制御を細かく行う。
【００７４】
（実施の形態８）
図１０は、本発明の第８の実施の形態における冷暖房機器（電気カーペット）のブロック図を示すものである。
【００７５】
図１０において、着衣８１の表面に添付された非接触情報記憶媒体８２、及び、着衣８３の表面に添付された非接触情報記憶媒体８４は、衣類の情報を生産時に記憶させるとともに、電気カーペット８５から伝達される熱流束を逐次検知して追記している。一方、伝導熱で暖房する電気カーペット８５はシート状ヒータ８６と、室温を検知する室温センサ８７と、制御手段であるマイクロコンピュータ８８と、操作表示手段８９と、ＲＦリーダーライタ９０を有している。マイクロコンピュータ８８には衣類の情報に応じた暖房プログラム及ぶ群制御理論を記憶する手段として半導体メモリ、もしくはＳＤカード等の記憶手段９１を備えている。
【００７６】
以上のように構成された電気カーペット８５について、以下その動作、作用を説明する。
【００７７】
まず、使用者が操作表示手段８９上のスイッチを押し、電気カーペット８５をオート暖房モードで動作させると、着衣８１の表面に添付された非接触情報記憶媒体８２、及び、着衣８３の表面に添付された非接触情報記憶媒体８４から、ＲＦリーダーライタ９０がこれの衣類の情報と、各々の着衣を通過する現在の熱流束量群を読み出して、マイクロコンピュータ８８が暖房運転を開始する。各々の熱流束量はＲＦリーダーライタ９０からの送信要求を受信する毎に、非接触情報記憶媒体８２及び非接触情報記憶媒体８４により所定時間毎に逐次読み出されるが、それぞれの非接触情報記憶媒体には、送信をリクエストされてから、固有の遅延時間をおいてデータを送信するように設計されているので、同時に同じコマンド（送信のリクエスト）を受け取り、一斉に個々のＩＤ及びデータをＲＦリーダーライタ８０に送り返すことはないために、個々の非接触情報記憶媒体を識別することが可能となる。そして、暖房のあらかじめ定められた設定温度とこの検知した熱流束群による予測温度の関係式に基づき、シート状ヒータ８６のオンオフ制御を細かく行う。また、マイクロコンピュータ８８は複数の衣類の情報（素材、厚さ、形状、寸法、人体を覆う度合い等）と、暖房の設定温度と、受信した熱流束量群とを統計的に解析し、この解析結果と心地良さの相関式を記憶手段９１のデータベースから読み出しながら上記のシート状ヒータを全体最適で暖房制御する。
【００７８】
以上のように、本実施の形態においては、多人数の着衣に添付された複数の非接触情報記憶媒体から、これの衣類の情報と、電気カーペット８５が伝達し、多人数の着衣に到達する現在の熱流束量群を読み出して暖房制御を行うことにより、暖房目標温度を室温や人数に応じてこまめに変更することなく、自動的に最適な暖房を行うことができる。さらに、電気カーペット８５の室温センサ８７で検知した室温や、電気カーペット８５表面の温度ではなく、人数分の着衣の表面に添付された複数の情報記憶媒体の複数のセンサ４３の情報を使うので、精度が良く、温度検知の早い温度調整ができるとともに、効率の良い運転が可能となる。
【００７９】
また、本実施の形態では電気カーペット８５上の人が一時的に退出して、非接触情報記憶媒体が検出できなかった場合は、室温センサ８７で検知した温度と、暖房目標温度との差で暖房運転させることで、温度の過昇を防止する。
【００８０】
また、本実施の形態では、冷風を出す機器としては冷暖房エアコン、扇風機、温風を出す機器としては石油ファンヒータ、石油温風機・ふく射ヒータ、電気温風器、赤外線で暖房する機器としては、電気ストーブ、家具調コタツ、石油遠赤ヒータ、温水で暖房する機器としては、かんたん床暖、たたみ床暖、伝導熱で加熱する機器としては電気カーペット、電気毛布、オイルヒータ、カー用機器としてはクッションヒータ、カーシートヒータがあり、全ての機器に適用できる。
【産業上の利用可能性】
【００８１】
以上のように、本発明にかかる冷暖房機器は、着衣に添付された非接触情報記憶媒体から衣類情報と、人体の検知温度や、着衣を通過する熱流束量、あるいは、着衣に当たる温風温度や、赤外線量を逐次読み出し、当該情報により最適な冷暖房を行うことにより、省エネ効果を発揮できる冷暖房機器を提供することができる。また、着衣情報に合わせて瞬時に可変して部分最適で制御したり、多人数での群制御したり、全体最適で制御したり、人数分の着衣情報を統計的に解析したりできるので、家庭用冷暖房機器や、業務用冷暖房機器、車載用冷暖房機器の各種冷暖房機器を含んでおり、動作方式としては電気、ガス、コージェネレーション、太陽エネルギー等が考えられる。
【図面の簡単な説明】
【００８２】
【図１】（ａ）本発明の実施の形態１における非接触情報記憶媒体の構成を示すブロック図（ｂ）同要部（Ａ−Ａ’）断面図
【図２】本発明の実施の形態１における冷暖房機器（エアコン）のブロック図
【図３】（ａ）本発明の実施の形態１における非接触情報記憶媒体のメモリ内容の構成を示す図（ｂ）バーコードシステムを示す図
【図４】本発明の実施の形態２における冷暖房機器（電気温風器）のブロック図
【図５】本発明の実施の形態３における冷暖房機器（電気ストーブ）のブロック図
【図６】本発明の実施の形態４における冷暖房機器（電気カーペット）のブロック図
【図７】本発明の実施の形態５における冷暖房機器であるエアコン、及び、電気カーペットのブロック図
【図８】本発明の実施の形態６における暖房機器（カーシートヒータ）のブロック図
【図９】本発明の実施の形態７における暖房機器（電気カーペット）のブロック図
【図１０】本発明の実施の形態８における暖房機器（電気カーペット）のブロック図
【図１１】（ａ）従来の無線ＩＣタグを示す図（ｂ）従来の電気洗濯機の構成を示すブロック図
【符号の説明】
【００８３】
１  非接触情報記憶媒体
２  メモリ
３  電源回路
４  送受信回路
５  ロジック回路
６  温度センサ
７  ＩＣチップ
８  アンテナコイル
９  樹脂
１０  エアコン
１１  冷暖房手段
１２  送風手段
１２  室温センサ
１４  マイクロコンピュータ
１５  操作表示手段
１６  ＲＦリーダーライタ
１７  記憶手段
２１  電気温風器
３０  電気ストーブ
３３  遠赤外線暖房手段
４２  電気カーペット
５４  カーシートヒータ
８９  リモコン送信手段
【図１】
2005241124.tif 000003
【図２】
2005241124.tif 000004
【図３】
2005241124.tif 000005
【図４】
2005241124.tif 000006
【図５】
2005241124.tif 000007
【図６】
2005241124.tif 000008
【図７】
2005241124.tif 000009
【図８】
2005241124.tif 000010
【図９】
2005241124.tif 000011
【図１０】
2005241124.tif 000012
【図１１】
2005241124.tif 000013